(57)【特許請求の範囲】
【請求項１】
各ユーザが視聴した１以上の番組に関する情報を含む視聴履歴と該各ユーザの所在地を示す地域コードとを取得する取得部と、
前記地域コードを用いて対象地域の範囲を設定する設定部と、
前記対象地域に属する１以上のユーザの前記視聴履歴に含まれる１以上の番組について、番組がどれだけ視聴されているかを示す視聴量を計算して地域視聴量を得る第１計算部と、
前記地域視聴量を参照して少なくとも１つの番組を抽出する抽出部と、を具備し、
前記第１計算部は、全てのユーザの前記視聴履歴に含まれる１以上の番組について前記視聴量を計算して全国視聴量を得、
前記抽出部は、前記地域視聴量の上位第１数の番組を含む第２番組群と前記全国視聴量の上位該第１数の番組を含む第３番組群とを比較して、該第２番組群および該第３番組群のどちらか一方に存在する番組を抽出することを特徴とする番組抽出装置。
【請求項２】
前記抽出部は、前記地域視聴量が多い順または該地域視聴量が少ない順に、少なくとも１つの番組を第１番組群として抽出することを特徴とする請求項１に記載の番組抽出装置。
【請求項３】
各ユーザが視聴した１以上の番組に関する情報を含む視聴履歴と該各ユーザの所在地を示す地域コードとを取得する取得部と、
前記地域コードを用いて対象地域の範囲を設定する設定部と、
前記対象地域に属する１以上のユーザの前記視聴履歴に含まれる１以上の番組について、番組がどれだけ視聴されているかを示す視聴量を計算して地域視聴量を得る第１計算部と、
前記地域視聴量を参照して少なくとも１つの番組を抽出する抽出部と、を具備し、
前記第１計算部は、全てのユーザが視聴した１以上の番組のそれぞれについて、前記視聴量を計算して全国視聴量として得、
前記抽出部は、前記地域視聴量の下位第１数の番組を含む第４番組群と前記全国視聴量の下位前記第１数の番組を含む第５番組群とを比較して、該第４番組群および該第５番組群のどちらか一方に存在する番組を抽出することを特徴とする番組抽出装置。
【請求項４】
各ユーザが視聴した１以上の番組に関する情報を含む視聴履歴と該各ユーザの所在地を示す地域コードとを取得する取得部と、
前記地域コードを用いて対象地域の範囲を設定する設定部と、
前記対象地域に属する１以上のユーザの前記視聴履歴に含まれる１以上の対象番組について、番組がどれだけ視聴されているかを示す視聴量を計算して地域視聴量を得、全てのユーザの前記視聴履歴に含まれる１以上の番組について前記視聴量を計算して全国視聴量を得る第１計算部と、
前記対象番組ごとに、前記全国視聴量から想定される前記対象地域における視聴量である期待視聴量を計算する第２計算部と、
前記対象番組ごとに前記地域視聴量の前記期待視聴量からの偏差を示す評価値を算出し、該評価値が閾値以上となる特徴番組を抽出する抽出部と、を具備することを特徴とする番組抽出装置。
【請求項５】
前記評価値は、前記地域視聴量と前記期待視聴量との差のＮ乗（Ｎは３以上の奇数）であることを特徴とする請求項４に記載の番組抽出装置。
【請求項６】
前記地域コードは、電話番号、行政区画名、ランドマークからの距離情報または時間情報、インターネットプロバイダにより定められる番号および物流事業者で定められる番号のいずれか１つであることを特徴とする請求項１から請求項５のいずれか１項に記載の番組抽出装置。
【請求項７】
前記視聴履歴は、前記ユーザが番組を視聴した時刻を示す時刻情報を含み、
前記地域視聴量は、前記対象地域における、前記時刻情報から計算される番組の延べ視聴時間で表され、前記全国視聴量は、全国における、前記時刻情報から計算される番組の延べ視聴時間で表されることを特徴とする請求項１から請求項６のいずれか１項に記載の番組抽出装置。
【請求項８】
前記地域視聴量は、前記対象地域において番組を視聴したユーザ数で表され、前記全国視聴量は、全国において番組を視聴したユーザ数で表されることを特徴とする請求項１から請求項６のいずれか１項に記載の番組抽出装置。
【請求項９】
各ユーザが視聴した１以上の番組に関する情報を含む視聴履歴と該各ユーザの所在地を示す地域コードとを取得し、
前記地域コードを用いて対象地域の範囲を設定し、
前記対象地域に属する１以上のユーザの前記視聴履歴に含まれる１以上の番組について、番組がどれだけ視聴されているかを示す視聴量を計算して地域視聴量を得、
前記地域視聴量を参照して少なくとも１つの番組を抽出し、
全てのユーザの前記視聴履歴に含まれる１以上の番組について前記視聴量を計算して全国視聴量を得、
前記地域視聴量の上位第１数の番組を含む第２番組群と前記全国視聴量の上位該第１数の番組を含む第３番組群とを比較して、該第２番組群および該第３番組群のどちらか一方に存在する番組を抽出することを特徴とする番組抽出方法。
【請求項１０】
各ユーザが視聴した１以上の番組に関する情報を含む視聴履歴と該各ユーザの所在地を示す地域コードとを取得する取得部と、
前記地域コードを用いて対象地域の範囲を設定する設定部と、
前記対象地域に属する１以上のユーザの前記視聴履歴に含まれる１以上の番組について、番組がどれだけ視聴されているかを示す視聴量を計算して地域視聴量を得る第１計算部と、
前記地域視聴量を参照して少なくとも１つの番組を抽出する抽出部と、を具備し、
前記第１計算部は、全てのユーザが視聴した１以上の番組のそれぞれについて、前記視聴量を計算して全国視聴量として得、
前記抽出部は、前記地域視聴量の下位第１数の番組を含む第４番組群と前記全国視聴量の下位前記第１数の番組を含む第５番組群とを比較して、該第４番組群および該第５番組群のどちらか一方に存在する番組を抽出することを特徴とする番組抽出方法。
【請求項１１】
各ユーザが視聴した１以上の番組に関する情報を含む視聴履歴と該各ユーザの所在地を示す地域コードとを取得し、
前記地域コードを用いて対象地域の範囲を設定し、
前記対象地域に属する１以上のユーザの前記視聴履歴に含まれる１以上の対象番組について、番組がどれだけ視聴されているかを示す視聴量を計算して地域視聴量を得、全てのユーザの前記視聴履歴に含まれる１以上の番組について前記視聴量を計算して全国視聴量を得、
前記対象番組ごとに、前記全国視聴量から想定される前記対象地域における視聴量である期待視聴量を計算し、
前記対象番組ごとに前記地域視聴量の前記期待視聴量からの偏差を示す評価値を算出し、該評価値が閾値以上となる特徴番組を抽出することを特徴とする番組抽出方法。
【請求項１２】
コンピュータを、
各ユーザが視聴した１以上の番組に関する情報を含む視聴履歴と該各ユーザの所在地を示す地域コードとを取得する取得手段と、
前記地域コードを用いて対象地域の範囲を設定する設定手段と、
前記対象地域に属する１以上のユーザの前記視聴履歴に含まれる１以上の番組について、番組がどれだけ視聴されているかを示す視聴量を計算して地域視聴量を得る第１計算手段と、
前記地域視聴量を参照して少なくとも１つの番組を抽出する抽出手段として機能させるための番組抽出プログラムであって、
前記第１計算手段は、全てのユーザの前記視聴履歴に含まれる１以上の番組について前記視聴量を計算して全国視聴量を得、
前記抽出手段は、前記地域視聴量の上位第１数の番組を含む第２番組群と前記全国視聴量の上位該第１数の番組を含む第３番組群とを比較して、該第２番組群および該第３番組群のどちらか一方に存在する番組を抽出する番組抽出プログラム。
【請求項１３】
コンピュータを、
各ユーザが視聴した１以上の番組に関する情報を含む視聴履歴と該各ユーザの所在地を示す地域コードとを取得する取得手段と、
前記地域コードを用いて対象地域の範囲を設定する設定手段と、
前記対象地域に属する１以上のユーザの前記視聴履歴に含まれる１以上の番組について、番組がどれだけ視聴されているかを示す視聴量を計算して地域視聴量を得る第１計算手段と、
前記地域視聴量を参照して少なくとも１つの番組を抽出する抽出手段として機能させるための番組抽出プログラムであって、
前記第１計算手段は、全てのユーザが視聴した１以上の番組のそれぞれについて、前記視聴量を計算して全国視聴量として得、
前記抽出手段は、前記地域視聴量の下位第１数の番組を含む第４番組群と前記全国視聴量の下位前記第１数の番組を含む第５番組群とを比較して、該第４番組群および該第５番組群のどちらか一方に存在する番組を抽出する番組抽出プログラム。
【請求項１４】
コンピュータを、
各ユーザが視聴した１以上の番組に関する情報を含む視聴履歴と該各ユーザの所在地を示す地域コードとを取得する取得手段と、
前記地域コードを用いて対象地域の範囲を設定する設定手段と、
前記対象地域に属する１以上のユーザの前記視聴履歴に含まれる１以上の対象番組について、番組がどれだけ視聴されているかを示す視聴量を計算して地域視聴量を得、全てのユーザの前記視聴履歴に含まれる１以上の番組について前記視聴量を計算して全国視聴量を得る第１計算手段と、
前記対象番組ごとに、前記全国視聴量から想定される前記対象地域における視聴量である期待視聴量を計算する第２計算手段と、
前記対象番組ごとに前記地域視聴量の前記期待視聴量からの偏差を示す評価値を算出し、該評価値が閾値以上となる特徴番組を抽出する抽出手段として機能させるための番組抽出プログラム。
【発明の詳細な説明】
【技術分野】
【０００１】
本発明の実施形態は、番組抽出装置、方法およびプログラムに関する。
【背景技術】
【０００２】
近年、テレビ番組で紹介された物や場所が人気となり、売れ行きがよくなったり訪問者が増加したりする傾向がある。小売業などではこの傾向を販売促進に生かす取り組みが行われている。具体的には、視聴率の高かった番組に関して、その番組内で紹介された物や場所を調べ、販売促進の対象となる店舗においてそれらに関連する商品を扱っている場合、その商品の仕入れ量を増やしたり、その商品を店内でより視認されやすい場所に配置したりする。
【先行技術文献】
【特許文献】
【０００３】
【特許文献１】特開２００３−２２４８２９号公報
【特許文献２】特開２００６−３５２４３７号公報
【発明の概要】
【発明が解決しようとする課題】
【０００４】
しかし、視聴率として通常利用されるデータは、視聴率調査会社から提供される全国の調査対象ユーザの視聴行動に基づくデータである。地域ごとに視聴率を考慮する場合には、視聴率調査会社のデータは地域における母集団が極めて少ないため、各店舗の商圏に属するユーザの視聴行動を正確に反映しているとはいえない。従って、実際の商圏ではそれほど視聴されていない番組を重視してしまったり、全国ではそれほど注目されていないが商圏では注目されていた番組を見逃す恐れがある。
【０００５】
本開示は、上述の課題を解決するためになされたものであり、視聴率調査の対象地域おいてより精度の高いデータを収集することができる番組抽出装置、方法およびプログラムを提供することを目的とする。
【課題を解決するための手段】
【０００６】
本実施形態に係る番組抽出装置は、取得部、設定部、第１計算部および抽出部を含む。取得部は、各ユーザが視聴した１以上の番組に関する視聴履歴と該各ユーザの所在地を示す地域コードとを取得する。設定部は、前記地域コードを用いて対象地域の範囲を設定する。第１計算部は、前記対象地域に属する１以上のユーザの視聴履歴に含まれる１以上の番組について、番組がどれだけ視聴されているかを示す視聴量を計算して地域視聴量を得る。抽出部は、前記地域視聴量を参照して少なくとも１つの番組を抽出する。
【図面の簡単な説明】
【０００７】
【図１】第１の実施形態に係る番組抽出装置を示すブロック図。
【図２】ユーザの視聴履歴の一例を示す図。
【図３】ユーザの地域コードの一例を示す図。
【図４】視聴量計算部の視聴量計算処理を示すフローチャート。
【図５】視聴量計算部により算出される視聴量の一例を示す図。
【図６】高視聴率番組抽出部の抽出結果の一例を示す図。
【図７】高視聴率番組抽出部の抽出結果の別例を示す図。
【図８】第２の実施形態に係る番組抽出装置を示すブロック図。
【図９】特徴番組抽出部の抽出結果の一例を示す図。
【発明を実施するための形態】
【０００８】
以下、図面を参照しながら本実施形態に係る番組抽出装置、方法およびプログラムについて詳細に説明する。なお、以下の実施形態では、同一の参照符号を付した部分は同様の動作をおこなうものとして、重複する説明を適宜省略する。
【０００９】
本実施形態に係る番組抽出装置について図１のブロック図を参照して説明する。  
本実施形態に係る番組抽出装置１００は、データ取得部１０１、地域設定部１０２、視聴量計算部１０３、番組抽出部１０４を含む。
【００１０】
データ取得部１０１は、ユーザの視聴履歴とユーザの所在地を示す地域コードとを取得する。視聴履歴は、１秒ごと、１分ごと等の適当な時間間隔により取得される、ユーザが視聴している番組（チャンネル）に関する情報である。視聴履歴の具体例については図２を参照して後述する。ユーザの所在地とは、例えばテレビの所在地またはテレビの設置場所である。
【００１１】
地域設定部１０２は、データ取得部１０１から視聴履歴と地域コードとを受け取り、地域コードを用いて対象地域の範囲を設定し、１以上の対象地域情報を生成する。対象地域の範囲の設定例としては、ユーザｕの所在地を適当な粒度にまとめるための関数ｇを用いて、対象地域ａに変換する。対象地域ａの一例としては、ユーザｕの所在地が郵便番号で表されている場合は、郵便番号の上２桁を対象地域ａとすればよく、ユーザｕの所在地が電話番号で表される場合は、市外局番を対象地域ａとすればよい。
【００１２】
視聴量計算部１０３は、地域設定部１０２から視聴履歴と１以上の対象地域情報とを受け取り、各対象地域に属する１以上のユーザの視聴履歴に含まれる１以上の番組について、視聴量を計算して地域視聴量を得る。視聴量は、番組がどれだけ視聴されているかを示す。さらに、視聴量計算部１０３は、全てのユーザ（全国のユーザ）が視聴した１以上の番組のそれぞれについて、全国における視聴量を計算して全国視聴量を得る。なお、視聴量計算部１０３は、視聴履歴をデータ取得部１０１から受け取ってもよい。
【００１３】
番組抽出部１０４は、視聴量計算部１０３から地域視聴量および全国視聴量を受け取り、地域視聴量を参照して少なくとも１つの番組を抽出する。具体的には、地域視聴量が多い順にソートして、視聴量が多い番組である高視聴率番組を少なくとも１つ抽出してもよいし、地域視聴量が少ない順にソートして、視聴量が少ない番組である低視聴率番組を少なくとも１つ抽出してもよい。なお、抽出された１以上の番組を番組群とも呼ぶ。
【００１４】
次に、ユーザの視聴履歴の一例について図２を参照して説明する。  
図２に示すテーブル２００は、ＵｓｅｒＩＤ２０１、時刻２０２および番組ＩＤ２０３がそれぞれ対応付けられて、視聴履歴として格納される。ＵｓｅｒＩＤ２０１は、ユーザを識別する識別子である。時刻２０２は、番組を視聴した時刻を表す情報（時刻情報）である。番組ＩＤ２０３は、番組を識別する識別子である。  
具体的には、例えば、ＵｓｅｒＩＤ２０１「ｕ０００１２４」、時刻２０２「２０１３／０１／０１／００：００：００」、および番組ＩＤ２０３「ｐ００００５８」がそれぞれ対応付けられる。
【００１５】
ここでは、１秒ごとに視聴履歴を取得しており、これらの視聴履歴は、チャンネルと時刻と番組との対応を保持するデータを有する電子番組表などを用いることで、ユーザが該当番組をどれほどの時間視聴したかを容易に変換することができる。変換処理については、一般的な手法を用いればよいため、ここでの説明を省略する。
【００１６】
次に、ユーザの地域コードの一例について図３を参照して説明する。  
図３に示すテーブル３００は、ＵｓｅｒＩＤ２０１と地域コード３０１が対応付けられる。地域コード３０１は、ユーザの所在地を示す値である。具体的には、例えば、ＵｓｅｒＩＤ２０１「ｕ０００１２２」と地域コード３０１「１０１−０００１」とが対応付けられる。
【００１７】
地域コード３０１としては、例えばデジタルテレビの場合には初期設定時に入力される郵便番号がデジタルテレビ側で保持されており、適当なタイミングでデータ取得部１０１へ送信される値を用いればよい。ＣＡＴＶの場合には、ＣＡＴＶ事業者によりＣＡＴＶ契約時に顧客から取得した住所情報が保持されており、適当なタイミングでデータ取得部１０１へ送信される値を地域コード３０１として用いればよい。なお、地域コード３０１の取得については、放送の形態によりどのような情報および送信方法でもよく、データ取得部１０１において取得できればよい。
【００１８】
地域コードは、例えば、上述のように郵便番号などの物流事業者で定められる番号、インターネットプロバイダにより定められる番号、電話番号、行政区画名による住所といったユーザを特定する情報でもよいし、「〇〇駅から徒歩５分圏内」や「〇〇タワーから半径５００ｍ以内」といった、駅や建物などのランドマークを中心とする範囲設定でもよい。ランドマークを中心とする範囲設定の場合、地域コードは、ランドマークからの距離情報または時間情報であればよい。
【００１９】
次に、視聴量計算部１０３の視聴量計算処理について図４のフローチャートを参照して説明する。  
ステップＳ４０１では、データを初期化する。具体的な処理例としては、地域ごとの各番組の視聴量を保持する２次元配列ｒ［対象地域，番組］を初期化する。  
ステップＳ４０２では、地域設定部１０２からユーザの対象地域ａを取得する。
【００２０】
ステップＳ４０３では、算出対象となる番組（対象番組）に対するユーザの視聴量を算出する。本実施形態では、図３に示す時刻（時刻情報）から計算される番組の視聴時間を積算することにより、延べ視聴時間を視聴量として算出する。例えば、番組の視聴を開始してから他の番組に切り替えるまでの時間を積算して視聴時間とすればよい。なお、いわゆるザッピングの時間を除外するために、ユーザが番組を視聴した時間が一定時間以上であるかどうかの閾値を設け、閾値未満の時間は視聴時間として積算しないようにしてもよい。または、放送時間帯において番組を視聴した最大視聴者数と最小視聴者数とに基づいて、平均値を算出するなどにより番組を視聴したユーザ数を算出し、算出したユーザ数を視聴量としてもよい。  
具体的な処理例としては、視聴量ｖとして、番組ｐの視聴時間を関数ｆを用いて算出すればよい。関数ｆは、視聴時間を秒または分単位に変換する関数である。
【００２１】
ステップＳ４０４では、対象番組に関する地域視聴量を更新する。具体的には、ユーザの視聴量を地域視聴量に加算する。２次元配列ｒを用いて説明すると、ｒ［ａ，ｐ］に視聴量ｖが加算される。  
ステップＳ４０５では、対象番組に関する全国視聴量を更新する。具体的には、ユーザの視聴量を全国視聴量に加算する。２次元配列ｒを用いて説明すると、ｒ［全国，ｐ］に視聴量ｖが加算される。
【００２２】
ステップＳ４０６では、ユーザが視聴した全ての番組について処理が完了したかどうかを判定する。全ての番組について処理が完了した場合はステップＳ４０７に進み、全ての番組について処理が完了していない場合はステップＳ４０３に戻り、同様の処理を繰り返す。  
ステップＳ４０７では、全てのユーザについて処理が完了したかどうかを判定する。全てのユーザについて処理が完了した場合は処理を終了し、全てのユーザについて処理が完了していない場合はステップＳ４０２に戻り、未処理のユーザに対して同様の処理を繰り返す。
【００２３】
以上の処理により、地域視聴量は、対象地域ａにおける、１以上のユーザの視聴時間が加算された延べ視聴時間で表され、全国視聴量は、全国のユーザの視聴時間が加算された延べ視聴時間で表される。なお、視聴量がユーザ数で表される場合は、地域視聴量は、対象地域ａにおいて番組を視聴したユーザ数で表され、全国視聴量は、全国において番組を視聴したユーザ数で表されればよい。
【００２４】
次に、視聴量計算部１０３により算出される視聴量の一例について図５を参照して説明する。  
図５に示すテーブル５００では、全国視聴量として、番組ＩＤ２０３および視聴量５０１が対応付けられて格納される。また、地域視聴量の一例として、郵便番号の上２桁が「１０」の地域視聴量に関するテーブル５１０と上２桁が「１６」の地域視聴量に関するテーブル５２０とを示す。テーブル５１０およびテーブル５２０はそれぞれ、テーブル５００と同様に、番組ＩＤ２０３および視聴量５０１が対応付けられて格納される。
【００２５】
次に、番組抽出部１０４による抽出結果の一例について図６および図７を参照して説明する。  
図６に示すテーブル６００は、ある対象地域における番組ごとの視聴量を地域視聴量を基準に降順にソートして上位２０番組を番組群として抽出したものであり、地域視聴量６０１、全国視聴量６０２、番組名６０３がそれぞれ対応付けられる。一方、図７に示すテーブル７００は、全国における番組ごとの視聴量を全国視聴量を基準に降順にソートして上位２０番組を番組群として抽出したものである。テーブル６００と同様に、地域視聴量６０１、全国視聴量６０２、番組名６０３がそれぞれ対応付けられる。テーブル６００によれば、対象地域における高視聴率番組を抽出できる。
【００２６】
さらに、地域視聴量と全国視聴量とを比較することで、対象地域における高視聴率番組または低視聴率番組の違いを抽出できる。図６および図７の網掛けされた番組は、地域視聴量と全国視聴量とを比較することにより、対象地域および全国のどちらか一方に存在する番組である。例えば、番組名「スポーツＡ」、「旅行Ａ  大塚」および「旅行Ｂ  板橋」などといったこれらの番組は、全国視聴量の上位２０番組にはなく、対象地域において注目された番組であることが分かる。
【００２７】
以上に示した第１の実施形態によれば、ユーザの地域コードを用いて視聴率調査の対象地域の範囲を設定し、対象地域の地域視聴量を抽出することで、視聴率調査の対象地域における高視聴率番組や対象地域と全国との高視聴率番組の差分を把握することができる。また、例えばデジタルテレビは全国の１世帯に少なくとも１つ存在すると考えられるので、全国各地から細かい粒度でデータを取得することができ、マーケティングなどのサービスに応用する際に、対象地域において精度の高いデータを収集することができる。
【００２８】
（第２の実施形態）  
第２の実施形態では、地域の視聴量に基づいて、地域特有の視聴傾向を示す特徴番組を抽出する点が第１の実施形態とは異なる。
【００２９】
第２の実施形態に係る番組抽出装置について図８を参照して説明する。  
第２の実施形態に係る番組抽出装置８００は、データ取得部１０１、地域設定部１０２、視聴量計算部１０３、期待視聴量計算部８０１および特徴番組抽出部８０２を含む。  
データ取得部１０１、地域設定部１０２および視聴量計算部１０３は、第１の実施形態と同様の動作を行うのでここでの説明は省略する。
【００３０】
期待視聴量計算部８０１は、視聴量計算部１０３から全国視聴量および地域視聴量を受け取り、期待視聴量を計算する。期待視聴量は、全国視聴量から想定される対象地域における視聴量である。すなわち、対象地域でも全国視聴量と同等の視聴量が得られると想定した場合の視聴量である。期待視聴量の算出方法は、例えば、（１）式により求められる。
【００３１】
【数１】
0006305291.tif 000002
【００３２】
特徴番組抽出部８０２は、期待視聴量計算部８０１から対象地域の期待視聴量および地域視聴量を受け取り、評価値を算出し、閾値以上の評価値を有する番組を特徴番組として抽出する。評価値は、地域視聴量の期待視聴量からの偏差を示す値であり、言い換えれば、全国の視聴傾向とは異なり、対象地域で特に視聴されているまたは対象地域で特に視聴されていない番組を評価するための値である。評価値は、例えば（２）式により求められる。
【００３３】
【数２】
0006305291.tif 000003
【００３４】
ここで、（２）式右辺の分母の「＋１」は、期待視聴量がゼロであるときに除算エラーとなることを防ぐための値であり、同様の効果を得られるならば、条件分岐など別の方法でもよい。
【００３５】
また、ｎは、３以上の奇数であり、分析の目的に合わせて設定すればよい。分析の目的が対象地域において全国に比べて極端に人気が高い、または人気が低い番組を抽出することである場合、閾値の絶対値を大きく設定したり、ｎの値を大きく設定すればよい。
【００３６】
次に、特徴番組抽出部８０２の抽出結果の一例について図９を参照して説明する。  
図９に示すテーブル９００は、ｎを「３」に設定し、閾値を「５００」に設定して、図６のテーブル６００から特徴番組を抽出した結果である。テーブル９００には、地域視聴量６０１、全国視聴量６０２、番組名６０３、日付９０１および評価値９０２がそれぞれ対応付けられて格納される。
【００３７】
日付９０１は、番組が放送された日時を示す。評価値９０２は、番組の評価値である。
評価値の値が大きいほど、全国の視聴傾向とは異なることを示す。例えば、番組名６０３「旅行Ｂ  板橋」と「旅行Ａ  大塚」とは、特定の地域の名称が含まれているため対象地域内の番組構成であると考えられ、このような地域を特集した番組が対象地域において視聴されたことが分かる。
【００３８】
以上に示した第２の実施形態によれば、期待視聴量を用いて計算した評価値を参照することで、全国の視聴傾向と異なる対象地域で視聴率が高いまたは視聴率が低いといった、特徴的な番組を抽出することで、ユーザの視聴行動に基づくマーケティングを支援することができる。
【００３９】
なお、上述の実施形態において、ユーザ個人のテレビの総視聴時間に基づいて、重み付けを行ってもよい。  
１日のテレビの総視聴時間（同一チャンネル）が閾値以上であれば、ながら見のような状態、またはつけっぱなし、消し忘れが考えられる。マーケティングの目的で視聴量を使用する場合は、これらのユーザによる番組の視聴量を低くする重み付けを行い、対象地域の視聴量を算出すればよい。
【００４０】
上述の実施形態の中で示した処理手順に示された指示は、ソフトウェアであるプログラムに基づいて実行されることが可能である。汎用の計算機システムが、このプログラムを予め記憶しておき、このプログラムを読み込むことにより、上述した番組抽出装置による効果と同様な効果を得ることも可能である。上述の実施形態で記述された指示は、コンピュータに実行させることのできるプログラムとして、磁気ディスク（フレキシブルディスク、ハードディスクなど）、光ディスク（ＣＤ−ＲＯＭ、ＣＤ−Ｒ、ＣＤ−ＲＷ、ＤＶＤ−ＲＯＭ、ＤＶＤ±Ｒ、ＤＶＤ±ＲＷ、Ｂｌｕ−ｒａｙ（登録商標）Ｄｉｓｃなど）、半導体メモリ、又はこれに類する記録媒体に記録される。コンピュータまたは組み込みシステムが読み取り可能な記録媒体であれば、その記憶形式は何れの形態であってもよい。コンピュータは、この記録媒体からプログラムを読み込み、このプログラムに基づいてプログラムに記述されている指示をＣＰＵで実行させれば、上述した実施形態の番組抽出装置と同様な動作を実現することができる。もちろん、コンピュータがプログラムを取得する場合又は読み込む場合はネットワークを通じて取得又は読み込んでもよい。  
また、記録媒体からコンピュータや組み込みシステムにインストールされたプログラムの指示に基づきコンピュータ上で稼働しているＯＳ（オペレーティングシステム）や、データベース管理ソフト、ネットワーク等のＭＷ（ミドルウェア）等が本実施形態を実現するための各処理の一部を実行してもよい。  
さらに、本実施形態における記録媒体は、コンピュータあるいは組み込みシステムと独立した媒体に限らず、ＬＡＮやインターネット等により伝達されたプログラムをダウンロードして記憶または一時記憶した記録媒体も含まれる。  
また、記録媒体は１つに限られず、複数の媒体から本実施形態における処理が実行される場合も、本実施形態における記録媒体に含まれ、媒体の構成は何れの構成であってもよい。
【００４１】
なお、本実施形態におけるコンピュータまたは組み込みシステムは、記録媒体に記憶されたプログラムに基づき、本実施形態における各処理を実行するためのものであって、パソコン、マイコン等の１つからなる装置、複数の装置がネットワーク接続されたシステム等の何れの構成であってもよい。  
また、本実施形態におけるコンピュータとは、パソコンに限らず、情報処理機器に含まれる演算処理装置、マイコン等も含み、プログラムによって本実施形態における機能を実現することが可能な機器、装置を総称している。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれるとともに、特許請求の範囲に記載された発明とその均等の範囲に含まれる。
【符号の説明】
【００４３】
１００，８００・・・番組抽出装置、１０１・・・データ取得部、１０２・・・地域設定部、１０３・・・視聴量計算部、１０４・・・番組抽出部、２００，３００，５００，５１０，５２０，６００、７００，９００・・・テーブル、２０１・・・ＵｓｅｒＩＤ、２０２・・・時刻、２０３・・・番組ＩＤ、３０１・・・地域コード、５０１，６０２・・・全国視聴量、５０２，６０１・・・地域視聴量、６０３・・・番組名、８０１・・・期待視聴量計算部、８０２・・・特徴番組抽出部、９０１・・・日付、９０２・・・評価値。
【図１】
0006305291.tif 000004
【図２】
0006305291.tif 000005
【図３】
0006305291.tif 000006
【図４】
0006305291.tif 000007
【図５】
0006305291.tif 000008
【図６】
0006305291.tif 000009
【図７】
0006305291.tif 000010
【図８】
0006305291.tif 000011
【図９】
0006305291.tif 000012